(57)【要約】【課題】読取用コードの読み取りが容易で操作性を高めることが可能なスキャナ付属リモコンを提供する。【解決手段】スキャナ付属リモコン１００は、バーコードＣに対して離間させてバーコードＣの読み取りを行うスキャナ付属リモコンであって、把持するために一端に設けられた把持部１０と、バーコードＣに対して射出光線Ｌを射出する射出部２１、及びバーコードＣで反射された反射光線Ｍを検知する検知部２２を有して、この一端に対する他端に設けられた光検出部２０とを備え、把持部１０の長手方向Ｘと射出光線Ｌの射出方向Ａとが所定の角度Θをなすとともに、把持部１０の長手方向Ｘと反射光線Ｍのスキャナ付属リモコン１００に向かう反射方向Ｂとが所定の角度Θをなす。【選択図】図２
2007317134.tif 000002
【特許請求の範囲】
【請求項１】
読取用コードに対して離間させて読取用コードの読み取りを行うスキャナ付属リモコンにおいて、
把持するために一端に設けられた把持部と、
読取用コードに対して射出光線を射出する射出部、及び読取用コードで反射された反射光線を検知する検知部を有して、前記一端に対する他端に設けられた光検出部とを備え、
前記把持部の長手方向と前記射出光線の射出方向とが所定の角度をなすとともに、前記把持部の長手方向と前記反射光線の当該スキャナ付属リモコンに向かう入射方向とが所定の角度をなすスキャナ付属リモコン。
【請求項２】
前記光検出部によって読み取られた読取用コードに対応する情報を、当該情報を表示させる情報表示装置に対して、無線送信する情報送信部を更に備える、請求項１記載のスキャナ付属リモコン。
【請求項３】
前記スキャナ付属リモコンの前記一端に対する他端の表面には、前記射出部によって射出される射出光線の射出方向を示すマークが表示されている、請求項１又は２記載のスキャナ付属リモコン。
【発明の詳細な説明】
【技術分野】
【０００１】
本発明は、読取用コードに対して離間させてバーコードの読み取りを行うスキャナ付属リモコンに関するものである。
【背景技術】
【０００２】
バーコード等の読取用コードの読み取りが行われる際には、スキャナ等が用いられる。スキャナを読取用コードに接近させて読み取る際に、スキャナの先端部の幅よりも幅の広い読取対象物を読み取る工夫がなされている。例えば、下記特許文献１に開示された略直方体形状の携帯型スキャナには、先端部に、レーザ光線を所定の照射幅をもって射出する射出口が設けられている。更に、この携帯型スキャナには、射出口から射出されてバーコードで反射されたレーザ光線を受光する固体撮像素子が配置され、射出口が設けられたスキャナ本体の先端部に、レーザ光線の照射幅をスキャナ本体の先端部においてその幅よりも広げるための空隙部が設けられている。したがって、スキャナ本体をバーコードに接近させて読み取る際に、空隙部により光線の幅がスキャナ本体の先端部においてその先端部の幅よりも広くなり、これによりスキャナ本体の先端部の幅よりも幅の広いバーコードを読み取ることができる。
【特許文献１】特開平８−１８５４６６号公報
【発明の開示】
【発明が解決しようとする課題】
【０００３】
ところで、従来、読取用コードに対して離間させてバーコードの読み取りを行うリモコンであるスキャナ付属リモコンが開発されている。しかしながら、上記のような略直方体形状のスキャナスキャナ付属リモコンでは、レーザ光線は略直方体形状の長手方向に射出されるため、バーコードを読み取る際にはスキャナ付属リモコンをバーコードに対して略垂直に立てなければならず、操作性が悪いという問題がある。
【０００４】
また、この略直方体形状のスキャナ付属リモコンにおいて、スキャナ付属リモコンの長手方向に対して垂直な方向にレーザ光線を射出可能にした場合、バーコードがスキャナ付属リモコン本体によって隠れてしまうことでバーコードの位置が分かりにくくなり、バーコードの読み取りが行い難くなるという問題がある。
【０００５】
そこで本発明では、読取用コードの読み取りが容易で操作性を高めることが可能なスキャナ付属リモコンを提供することを目的とする。
【課題を解決するための手段】
【０００６】
上記の課題を解決するために、本発明に係るスキャナ付属リモコンは、読取用コードに対して離間させて読取用コードの読み取りを行うスキャナ付属リモコンにおいて、把持するために一端に設けられた把持部と、読取用コードに対して射出光線を射出する射出部、及び読取用コードで反射された反射光線を検知する検知部を有して、この一端に対する他端に設けられた光検出部とを備え、把持部の長手方向と射出光線の射出方向とが所定の角度をなすとともに、把持部の長手方向と反射光線の当該スキャナ付属リモコンに向かう入射方向とが所定の角度をなすことを特徴とする。
【０００７】
本発明に係るスキャナ付属リモコンによれば、把持部の長手方向と射出光線の射出方向とが所定の角度をなすとともに、把持部の長手方向と反射光線の当該スキャナ付属リモコンに向かう入射方向とが所定の角度をなしている。このため、バーコード等の読取用コードに対して離間させて読み取りを行う際に、スキャナ付属リモコンをバーコードに対して略垂直に立てる必要がなくなって操作性を高めることができ、更に、バーコードがスキャナ付属リモコン本体によって隠れてしまうことがなくなってバーコードの位置が分かり易くなり、バーコードの読み取りが容易になる。
【０００８】
また、スキャナ付属リモコンは、光検出部によって読み取られた読取用コードに対応する情報を、当該情報を表示させる情報表示装置に対して、無線送信する情報送信部を更に備えるのも好ましい。
【０００９】
これにより、光検出部によって読み取られた読取用コードに対応する情報を、情報表示装置において容易に表示させることができる。
【００１０】
また、スキャナ付属リモコンの上記の一端に対する他端の表面には、射出部によって射出される射出光線の射出方向を示すマークが表示されているのも好ましい。
【００１１】
これにより、射出部によって射出される射出光線の射出方向が容易に認識できるので、スキャナ付属リモコンを用いた読取用コードの読み取りが、より容易になる。
【発明の効果】
【００１２】
本発明によれば、読取用コードの読み取りが容易で操作性を高めることが可能なスキャナ付属リモコンを提供することができる。
【発明を実施するための最良の形態】
【００１３】
以下、添付図面を参照しながら本発明の好適な実施形態を説明する。なお、図面の説明において同一要素には同一符号を付し、重複する説明を省略する。
【００１４】
本発明の実施形態であるスキャナ付属リモコンについて、図１、図２、及び図３を用いて説明する。図１は、本実施形態に係るスキャナ付属リモコン１００の正面図である。また、図２は、図１のＩＩ−ＩＩ線で矢視したスキャナ付属リモコン１００の概略的な断面図である。また、図３は、スキャナ付属リモコン１００が把持された状態の一例を示す説明図である。
【００１５】
スキャナ付属リモコン１００は、バーコードＣ等の読取用コードに対して離間させて、読取用コードの読み取りを行うリモコン（リモートコントローラ）である。スキャナ付属リモコン１００は、バーコードＣの読み取り（スキャナ機能）と情報の無線送信（リモコン機能）とを行う場合に用いられる。スキャナ付属リモコン１００は、図１〜図３に示すように、把持部１０と、光検出部２０とを一体化して備えている。
【００１６】
把持部１０は、スキャナ付属リモコン１００を把持するために、スキャナ付属リモコン１００の一端に設けられている。また、把持部１０は、略直方体形状を有している。ユーザは、この把持部１０を把持しながら、スキャナ付属リモコン１００にバーコードＣを読み取らせたり、リモコンに設けられたボタンを押下して情報を無線送信させたりする。
【００１７】
光検出部２０は、スキャナ付属リモコン１００の上記の一端に対する他端に設けられており、射出部２１及び検知部２２を有している部分である。また、光検出部２０は、略直方体形状を有している。射出部２１は、光検出部２０の内部に設けられて、バーコードＣに対して射出光線Ｌを射出して照射する部分であり、例えばＬＥＤ（光源）等からなる。射出部２１によってバーコードＣに対して射出光線Ｌが射出されて照射されると、バーコードＣにおいて光線が反射される。検知部２２は、光検出部２０の内部に設けられて、バーコードＣで反射された反射光線を検知するスキャナ部分であり、例えばＣＣＤ等からなる。
【００１８】
ここで、把持部１０の長手方向Ｘと、射出部２１が射出する射出光線Ｌの射出方向Ａとは、所定の角度Θをなしている。同様に、把持部１０の長手方向Ｘと、検知部２２が検知する反射光線Ｍのリモコン１００に向かう入射方向Ｂとは、所定の角度Θをなしている。即ち、射出部２１が射出する射出光線Ｌの射出方向Ａと、検知部２２が検知する反射光線Ｍのリモコン１００に向かう入射方向Ｂとは重なっている。バーコードの読み取りを容易にするために、この所定の角度Θは、１０度〜８０度であることが好ましい。また、バーコードを読み取る際の操作性を向上させるために、この所定の角度Θは、３０度〜６０度であることがより好ましい。更に、バーコードがスキャナ付属リモコン１００本体によって隠れてしまうことを防ぐために、この所定の角度Θは、４５度であることが最も好ましい。
【００１９】
なお、スキャナ付属リモコン１００の上記の一端に対する他端（即ち、光検出部２０側の端部）の表面には、スキャナ付属リモコン１００の正面側（即ち、上記したボタンが設けられている側）にマークＮ２が表示されている。更に、スキャナ付属リモコン１００の上記の一端に対する他端の側方の両側には、マークＮ１が表示されている。このマークＮ１及びマークＮ２のそれぞれは、射出部２１によって射出される射出光線Ｌの射出方向Ａ（即ち、射出光線Ｌの光軸）を示す印（例えば、矢印や三角印）である。
【００２０】
情報送信部２３は、光検出部２０によって読み取られたバーコードＣに対応する情報を、情報表示装置（図示せず）に対して無線送信する部分であり、射出部２１と同じ場所に設けられている。情報表示装置は、この情報を、ディスプレイ等を用いて表示させるプロジェクタ等である。これにより、静止画像又は動画像等の情報に対応したバーコードＣを光検出部２０によって読み取らせると、この静止画像又は動画像等を情報表示装置において再生表示させることが可能となる。
【００２１】
以上説明したように、本実施形態に係るスキャナ付属リモコン１００では、把持部１０の長手方向Ｘと射出光線Ｌの射出方向Ａとが所定の角度Θ（例えば４５度）をなすとともに、把持部１０の長手方向Ｘと反射光線Ｍのリモコン１００に向かう入射方向Ｂとが所定の角度Θ（例えば４５度）をなしている。このため、バーコードＣ等の読取用コードに対して離間させて読み取りを行う際に、スキャナ付属リモコン１００をバーコードＣに対して略垂直に立てる必要がなくなって操作性を高めることができ、更に、バーコードＣがスキャナ付属リモコン１００本体によって隠れてしまうことがなくなってバーコードＣの位置が分かり易くなり、バーコードＣの読み取りが容易になる。
【００２２】
また、スキャナ付属リモコン１００は、光検出部２０によって読み取られたバーコードＣに対応する情報を、上記した情報表示装置に対して、無線送信する情報送信部２３を更に備えている。このため、光検出部２０によって読み取られたバーコードＣに対応する情報を、この情報表示装置において容易に表示させることができる。
【００２３】
また、スキャナ付属リモコン１００の上記の一端に対する他端（即ち、光検出部２０側の端部）の表面には、射出部２１によって射出される射出光線Ｌの射出方向Ａを示すマークＮ１及びマークＮ２が表示されている。このため、射出部２１によって射出される射出光線Ｌの射出方向Ａが容易に認識できることとなり、このマークＮ１及びマークＮ２を目安としてバーコードＣに射出部２１を近づけて読み取りを行うことが容易に可能となる。この結果、スキャナ付属リモコン１００を用いたバーコードＣの読み取りが、より容易になる。
【００２４】
以上、本発明の好適な実施形態について説明したが、本発明は上記実施形態に限定されるものではない。例えば、上記実施形態において、把持部１０は一つだけ設けられているが、複数の把持部が設けられていてもよい。また、射出部２１と情報送信部２３とは、異なる場所に設けられていてもよい。ここで、把持部１０の長手方向Ｘと射出光線Ｌの射出方向Ａとがなす角度と、把持部１０の長手方向Ｘと反射光線Ｍのリモコン１００に向かう入射方向Ｂとがなす角度とは、異なっていてもよい。
【図面の簡単な説明】
【００２５】
【図１】本実施形態に係るスキャナ付属リモコンの正面図である。
【図２】図１のＩＩ−ＩＩ線で矢視したスキャナ付属リモコンの概略的な断面図である。
【図３】スキャナ付属リモコン１００が把持された状態の一例を示す説明図である。
【符号の説明】
【００２６】
１０…把持部、２０…光検出部、２１…射出部、２２…検知部、２３…情報送信部、１００…スキャナ付属リモコン、Ｃ…バーコード、Ｌ…射出光線、Ｍ…反射光線、Ｎ１，Ｎ２…マーク。
【図１】
2007317134.tif 000003
【図２】
2007317134.tif 000004
【図３】
2007317134.tif 000005